(57)【特許請求の範囲】
【請求項１】
環状に配置された胴差における一部胴差の外側または内側に建物外被が上記一部胴差から離間して設けられており、上記離間配置される建物外被の内側である室内側には、上階床の端面を上記建物外被から離間させて、上下階に通じる開口部が形成されており、
平面視で多角形をなす建物とされており、上記一部胴差が建物の角部または非角部で他の胴差部分に対して建物の内方向に入り込んで配置されていることを特徴とする建物の構造。
【請求項２】
請求項１に記載の建物の構造において、上記一部胴差が建物の内方向に入り込んでいる箇所で、上記建物外被が上記他の胴差部分の延長線の方向に沿って配置されているか、または上記建物外被が上記延長線よりも建物の外方向に張り出して配置されていることを特徴とする建物の構造。
【請求項３】
環状に配置された胴差における一部胴差の外側または内側に建物外被が上記一部胴差から離間して設けられており、上記離間配置される建物外被の内側である室内側には、上階床の端面を上記建物外被から離間させて、上下階に通じる開口部が形成されており、
上記一部胴差が上記他の胴差部分と面一で屋外に位置しており、上記離間配置される建物外被が建物の内方向に入り込んで配置されて上記一部胴差から離間していることを特徴とする建物の構造。
【請求項４】
請求項１〜請求項３のいずれか１項に記載の建物の構造において、上記開口部は吹き抜け空間またはスキップフロア配置空間として利用されていることを特徴とする建物の構造。
【発明の詳細な説明】
【技術分野】
【０００１】
この発明は、上下階を有する建物の構造に関する。
【背景技術】
【０００２】
特許文献１には、１階のサッシの外側にインナーテラスを設け、インナーテラスと屋外との間にスラット可変式シャッタを設ける建物が開示されている。この建物では、サッシを開けることで１階の部屋とインナーテラスとを連通状態とすることができ、インナーテラスを室内側から有効活用することができる。また、スラット可変式シャッタを閉めることで、インナーテラスと屋外とが区画され、防犯性を確保することが出来る。
【０００３】
また、特許文献２には、建物本体側に取付けられる床フレームから水平方向へ突出する持ち出し梁の配設構造が開示されている。持ち出し梁は、床フレームを構成する胴差に形成された貫通孔を貫通して床フレームより外側へ突出しており、持ち出し梁の床フレーム内に配設される側の端部は、床フレームを構成する部材に固定されるとともに、持ち出し梁の貫通孔の位置に整合する位置には、持ち出し梁を胴差に固定するための金物が配置されており、持ち出し梁は金物を介して貫通孔を貫通した状態で胴差に固定される。
【先行技術文献】
【特許文献】
【０００４】
【特許文献１】特開２０１２−１７６１３号公報
【特許文献２】特開２０１０−１９６４４８号公報
【発明の概要】
【発明が解決しようとする課題】
【０００５】
しかしながら、特許文献１および２に記載の建物は、１階側のサッシと２階側のサッシの間に２階床の端部が存在する構造であるため、開放感が減損されてしまう。すなわち、１階と２階を跨ぐ大きな窓を通して、１階室内から外の景色を見たり、外光を室内に取り入れるようにはなっていない。
【０００６】
この発明は、上記の事情に鑑み、例えば、上階と下階を跨ぐ大きな窓を通して室内から外の景色を見たり、外光を室内に取り入れること等を可能にする建物の構造を提供することを課題とする。
【課題を解決するための手段】
【０００７】
この発明の建物の構造は、上記の課題を解決するために、環状に配置された胴差における一部胴差の外側または内側に建物外被が上記一部胴差から離間して設けられており、上記離間配置される建物外被の内側である室内側には、上階床の端面を上記建物外被から離間させて、上下階に通じる開口部が形成されていることを特徴とする。
【０００８】
上記の構成であれば、上記離間配置される建物外被は、上下階を仕切る胴差に分断されずに存在することができ、当該建物外被として上下階を跨ぐ大きな窓を配置すること等が可能になる。そして、例えば、上記上下階に通じる開口部から上階と下階を跨ぐ大きな窓を通して外の景色を見たり、外光を室内に取り入れることが可能になる。
【０００９】
平面視で多角形をなす建物とされており、上記一部胴差が建物の角部または非角部で他の胴差部分に対して建物の内方向に入り込んで配置されていてもよい。この構成において、上記一部胴差が建物の内方向に入り込んでいる箇所で、上記建物外被が上記他の胴差部分の延長線の方向に沿って配置されているか、または上記建物外被が上記延長線よりも建物の外方向に張り出して配置されていてもよい。
【００１０】
或いは、上記一部胴差が上記他の胴差部分と面一に位置しており、上記離間配置される建物外被が建物の内方向に入り込んで配置されて上記一部胴差から離間していてもよい。
【００１１】
或いは、上記一部胴差が上記他の胴差部分と面一に位置しており、上記離間配置される建物外被が建物の外方向に張り出して配置されて上記一部胴差から離間していてもよい。
【００１２】
上記開口部は吹き抜け空間またはスキップフロア配置空間として利用されてもよい。
【発明の効果】
【００１３】
本発明であれば、例えば、上階と下階を跨ぐ大きな窓を通して室内から外の景色を見たり、外光を室内に取り入れることが可能になる等の諸効果を奏する。
【図面の簡単な説明】
【００１４】
【図１】実施形態の建物の概略の構成を示した斜視図である。
【図２】図１の建物の胴差と建物外被と上階床の位置関係を示した説明図である。
【図３】同図（Ａ）は図１の建物を利用した建物内部空間を示した説明図であり、同図（Ｂ）は比較のための比較例を示した説明図である。
【図４】同図（Ａ）は図１の建物を利用した階段配置空間を示した説明図であり、同図（Ｂ）は比較のための比較例を示した説明図である。
【図５】他の実施形態の建物の概略の構成を示した斜視図である。
【図６】同図（Ａ）は図５の建物を利用した建物内部空間を示した説明図であり、同図（Ｂ）は比較のための比較例を示した説明図である。
【図７】他の実施形態の建物の概略の構成を示した斜視図である。
【図８】図７の建物の胴差と建物外被と上階床の位置関係を示した説明図である。
【図９】他の実施形態の建物の概略の構成を示した斜視図である。
【図１０】図１の建物の胴差と建物外被と上階床の位置関係を示した説明図である。
【発明を実施するための形態】
【００１５】
以下、この発明の一態様に係る実施形態を添付図面に基づいて説明する。
図１に示すように、この実施形態の建物１Ａは、環状に配置された胴差２における一部胴差２１の外側に、建物外被３を上記一部胴差２１から離間させて設けている。上記離間配置される建物外被３は、図１では、内部に縦線ハッチングを描いた太線枠により示されている。上記離間配置される建物外被３は、上記一部胴差２１によって支持されず、上記一部胴差２１とは異なる他の胴差部分や図示しない小屋梁等によって支持される。そして、上記離間配置される建物外被３の内側である室内側には、図２にも示すように、階上床４の端部４１が上記建物外被３から離間し、上下階に通じる開口部５が形成されている。この建物１Ａでは、上記階上床４の端部４１は上記一部胴差２１によって形成されている。
【００１６】
上記離間配置される建物外被３は、上記一部胴差２１が建物１Ａの内方向に入り込んでいる箇所において、上記他の胴差部分の延長線の方向に沿って配置されており、上記建物１Ａの平面シルエット（屋外と屋内とを区切る境界線）は四角形となっている。一方、上記一部胴差２１が他の胴差部分に対して建物１Ａの内方向に入り込んで配置されているので、胴差２全体の平面視形状は略コ字形状になっている。上記建物１Ａにおいて、上記開口部５は、例えば、吹き抜け空間として利用することができる。なお、上記建物外被３は上記他の胴差部分の延長線よりも建物１Ａの外方向に張り出して配置されていてもよい。
【００１７】
また、例えば、上記建物１Ａの内方向に入り込んで配置されている上記一部胴差２１の水平幅は、例えば４５００ｍｍ以上５１００ｍｍ以内であり、奥行き寸法も水平幅と同程度となっている。もちろん、上記一部胴差２１の大きさは、上記のような寸法に限らない。
【００１８】
図３（Ａ）は、上記建物１Ａにおいて、上記開口部５を階段６の配置空間として利用し、２階から上記離間配置される建物外被３の方向を見た室内空間を示している。上記離間配置される建物外被３は、上下階を仕切る上記一部胴差２１（胴差２をクロスハッチングで示している。）に分断されずに存在することができ、当該建物外被３として上下階を跨ぐ大きな窓３Ａを配置することが可能になる。そして、上記上下階に通じる開口部５から上階と下階を跨ぐ大きな窓３Ａを通して外の景色を見たり、外光を室内に取り入れることが可能になる。
【００１９】
なお、比較のために，図３（Ｂ）に比較建物を描いている。この図から分かるように、比較建物の建物外被となる窓は、上下階を仕切る胴差（クロスハッチングで示している。）によって上下に分断される。これに対し、本実施例に係る建物１Ａにおいては、上記窓３Ａは上記一部胴差２１によって上下に分断されることがなく、図３（Ｂ）の比較建物に比べ、より大きな開放感が得られることになる。
【００２０】
図４（Ａ）は、上記建物１Ａにおいて、上記開口部５を階段６の配置空間として利用する他の構造例を示している。この構造例では、上記離間配置される建物外被３側に階段６のスキップフロア（階高の中間に床を設置する空間）６１が設けられている。そして、上記離間配置される建物外被３として、上記スキップフロア６１から上階に延びる大きな窓３Ｂを有するものが用いられている。
【００２１】
なお、比較のために，図４（Ｂ）に比較建物を描いている。この図から分かるように、比較建物の階段踊り場の窓は、上下階を仕切る胴差（Ｈ型鋼で示している。）の存在によって当該胴差よりの下側に形成される。これに対し、本実施例に係る建物１Ａにおいては、上記窓３Ｂは上記一部胴差２１によって上下に分断されることがなく、図３（Ｂ）の比較建物に比べ、階段６のスキップフロア６１において、より大きな開放感が得られることになる。なお、スキップフロアは階段の踊り場を含む上位概念である。
【００２２】
図５および図６（Ａ）に示すように、他の実施形態に係る建物１Ｂは、環状に配置された胴差２における一部胴差２１の外側に、建物外被３を上記一部胴差２１から離間させて設けている。そして、この建物１Ｂは、平面視で多角形をなす建物とされており、上記一部胴差２１は、建物角部において、他の胴差部分に対して建物１Ｂの内方向に入り込んでいる。そして、上記離間配置される建物外被３の内側である室内側には、図６（Ａ）に示すように、階上床４の端部４１が上記建物外被３（窓３Ｃ）から離間し、上下階に通じる開口部５を形成している。この建物１Ｂでは、上記階上床４の端部４１は上記一部胴差２１によって形成されている。
【００２３】
上記離間配置される建物外被３は、上記一部胴差２１が建物の内方向に入り込んでいる箇所で、上記他の胴差部分の延長線方向に沿って配置されている、上記建物１Ａの平面シルエット（屋外と屋内とを区切る境界線）は四角形となっている。一方、上記一部胴差２１が他の胴差部分に対して建物１Ｂの角部の内方向に入り込んで配置されているので、胴差２全体の平面視形状は略Ｌ字形状になっている。
【００２４】
上記図６（Ａ）は、上記建物１Ｂにおいて、上記開口部５を吹き抜け空間として利用した場合の１階から上記離間配置される建物外被３の方向を見た室内空間を示している。上記離間配置される建物外被３は、上下階を仕切る上記一部胴差２１（胴差２全体をクロスハッチングで示している。）に分断されずに存在することができるので、当該建物外被３として上下階を跨ぐ大きな窓３Ｃを配置することが可能になる。そして、１階室内から上記上下階に通じる開口部５を通し、さらに上階と下階を跨ぐ大きな窓３Ｃを通して外の景色を見たり、外光を室内に取り入れることが可能になる。
【００２５】
なお、比較のために，図６（Ｂ）に比較建物を描いている。この図から分かるように、比較建物の建物外被となる窓は、上下階を仕切る胴差（クロスハッチングで示している。）によって上下に分断される。これに対し、本実施例に係る建物１Ｂにおいては、上記窓３Ｃは上記一部胴差２１によって上下に分断されることがなく、図６（Ｂ）の比較建物に比べ、より大きな開放感が得られることになる。
【００２６】
図７および図８に示すように、他の実施形態の建物１Ｃは、環状に配置された胴差２における一部胴差２１の内側に、建物外被３を上記一部胴差２１から離間させて設けている。上記一部胴差２１は上記他の胴差部分と面一に位置しており、胴差２自体は既存の配置形態（例えば、平面視で四角形）を採用できる。そして、上記離間配置される建物外被３の内側である室内側には、階上床４の端部４１を上記建物外被３から離間させて、上下階に通じる開口部５を形成している。この建物１Ｃでは、上記階上床４の端部４１は、上記一部胴差２１とは別の横架材２００によって形成されている。
【００２７】
上記離間配置される建物外被３は、上記一部胴差２１を基準に建物１Ｃの内方向に例えば１８００ｍｍ以上２０２０ｍｍ以下程度入り込んで配置される。そして、上記階上床４の端部４１は、上記一部胴差２１を基準に建物１Ｃの内方向に例えば４５００ｍｍ以上５１００ｍｍ以下程度入り込んで配置される。
【００２８】
このような建物１Ｃにおいても、上記建物外被３は、上下階を仕切る上記一部胴差２１に分断されずに存在することができ、当該建物外被３として上下階を跨ぐ大きな窓等を配置することが可能になる。そして、上記大きな窓を通して１階室内から外の景色を見たり、外光を室内に取り入れることが可能になる。
【００２９】
図９及び図１０に示すように、他の実施形態の建物１Ｄは、環状に配置された胴差２における一部胴差２１の外側に、建物外被３を上記一部胴差２１から離間させて設けている。上記一部胴差２１は上記他の胴差部分と面一に位置しており、胴差２自体は既存の配置形態（例えば、平面視で四角形）を採用できる。そして、上記離間配置される建物外被３の内側である室内側には、階上床４の端部４１を上記建物外被３から離間させて、上下階に通じる開口部５を形成している。この建物１Ｄでは、上記階上床４の端部４１は上記一部胴差２１によって形成されている。
【００３０】
上記離間配置される建物外被３は、上記一部胴差２１を基準に建物１Ｄの外方向に例えば１８００ｍｍ以上２０２０ｍｍ以下程度張り出して配置される。このような構造は、従来項で挙げた特許文献２（特開２０１０−１９６４４８号公報）に開示されているように、建物に取付けられる床フレームから水平方向へ突出する持ち出し梁の配設構造を利用して構築することができる。
【００３１】
この発明の建物の構造は、２階建て以上の多層階建物における２階以上の階層全部に適用することもでき、多層階建物における一部の階層のみに適用することもできる。
【００３２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３３】
１Ａ  １Ｂ  １Ｃ  １Ｄ  建物
２      胴差
２１    一部胴差
３      建物外被
４      階上床
４１    端部
５      開口部
６      階段
６１    スキップフロア
【図１】
0006571329.tif 000002
【図２】
0006571329.tif 000003
【図３】
0006571329.tif 000004
【図４】
0006571329.tif 000005
【図５】
0006571329.tif 000006
【図６】
0006571329.tif 000007
【図７】
0006571329.tif 000008
【図８】
0006571329.tif 000009
【図９】
0006571329.tif 000010
【図１０】
0006571329.tif 000011